(57)【要約】【課題】環境に配慮するとともに、長期間の使用によっても装飾効果が落ちることのない額を提供すること。【解決手段】複数本の長尺状のフレーム材を略多角形状に枠組みすることにより形成されるフレーム（２）と、該フレーム（２）内に支持される、写真、絵画等を挟み込むための、透明体（４）および裏板（３）と、を具備する額（１）において、前記フレーム（２）の表面側に、少なくとも、光触媒により形成した光触媒層（６）又はマイナスイオンを放出可能なトルマリン層（７）のいずれかを備えたことを特徴とし、人体に良い影響を与えるマイナスイオンを室内等に放出可能であるとともに、光触媒層によって、花粉症、アトピー性皮膚炎、シックハウス症候群等の原因物質をも吸着でき、更に、吸着した有害物質等を拭き取ることで、長期間の使用によっても装飾効果が落ちることがない。【選択図】図１
0003103842.tif 000002
【実用新案登録請求の範囲】
【請求項１】
複数本の長尺状のフレーム材を略多角形状に枠組みすることにより形成されるフレーム（２）と、
該フレーム（２）内に支持される、写真、絵画等を挟み込むための、透明体（４）および裏板（３）と、を具備する額（１）において、
前記フレーム（２）の表面側に、少なくとも、光触媒により形成した光触媒層（６）又はマイナスイオンを放出可能なトルマリン層（７）のいずれかを備えたことを特徴とする額。
【請求項２】
複数本の長尺状のフレーム材を略多角形状に枠組みすることにより形成されるフレーム（２）と、
該フレーム（２）内に支持される、写真、絵画等を挟み込むための、透明体（４）および裏板（３）と、を具備する額（１）において、
前記透明体（２）の表面側に、少なくとも、光触媒により形成した光触媒層（６）又はマイナスイオンを放出可能なトルマリン層（７）のいずれかを備えたことを特徴とする額。
【考案の詳細な説明】
【技術分野】
【０００１】
本考案は、略四角形状に枠組みされたフレームとこのフレーム内周に支持された透明体及び裏板とを備える額に係り、より詳しくは、フレームの表面、又は透明体の表面に、少なくとも光触媒により形成した光触媒層を備えたことを特徴とする額に関する。
【背景技術】
【０００２】
従来から、写真、絵画等を壁等に飾る場合には額が用いられている。即ち、この額は、周知の通り、長尺状のフレーム材を多角形状に枠組みして構成されたフレームと、この多角形状に枠組みされたフレーム内に支持されるとともに、写真、絵画等を挟み込んで支持することが可能な裏板および透明体を備えており、更に、フレームの裏側には、裏板をフレームに係止するための、「とんぼ」といわれる係止部材が回動自在に装着されている。そして、裏板と透明体の間に写真、絵画等を挟み込むことにより額に写真、絵画等を支持するとともに、係止部材によって裏板をフレームに係止して、この状態で額を壁等に掛けることにより、写真、絵画等を所望する箇所に飾ることを可能としており、これにより、特に絵画、写真等を飾ることにより室内の装飾等を行うことも可能となる。
【考案の開示】
【考案が解決しようとする課題】
【０００３】
しかしながら、このように、額を用いることにより、絵画、写真、賞状等を室内等に飾っている場合において、長期間経過すると、室内に浮遊している汚れ等によって額が汚れてしまい、特に絵画、写真等を室内装飾の一環として飾っている場合には、その装飾効果が落ちてしまう問題点が考えられる。その一方において、額が汚れる度ごとにこれを交換していたのでは手間、コストの面からも好ましくない。
【０００４】
また、額の表面に花粉等の汚れが付着した場合には、それに起因して花粉症やアトピー性皮膚炎の症状が出るおそれが考えられるが、従来の額は、室内の装飾等を重視していたために、このような問題点を解決できる額は提供されていなかった。
【０００５】
そこで、本考案は、環境に配慮するとともに、長期間の使用によっても装飾効果が落ちることのない額を提供することを課題としている。
【課題を解決するための手段】
【０００６】
本考案の額は、複数本の長尺状のフレーム材を略多角形状に枠組みすることにより形成されるフレームと、該フレーム内に支持される、写真、絵画等を挟み込むための、透明体および裏板と、を具備する額において、
少なくとも前記フレーム又は透明体の表面側に、少なくとも、光触媒により形成した光触媒層、又はマイナスイオンを放出可能なトルマリン層のいずれかを備えたことを特徴としている。
【考案の効果】
【０００７】
周知の通り、光触媒とは、光照射の下において化学反応を促進する物質と言われており、より具体的には、光を吸収することにより励起状態になり、その上に分子が吸着して活性化状態になって反応する作用を有するものである。また、マイナスイオンは、人体に良い影響を与えると言われている。そのために、少なくとも、光触媒によって形成した光触媒層又はマイナスイオンを放出可能なトルマリン層のいずれかを備えた本考案の額において、光触媒層を備えた場合には、室内に浮遊する埃や有害物質等を吸着することができ、この吸着した有害物質等を拭き取ることのみで額の劣化を防止可能とするとともに、花粉症やアトピー性皮膚炎の原因物質をも除去することができ、またトルマリン層を備えた場合には、マイナスイオンを放出することで心身ともにリラックスした状態になることができ、これにより室内環境等を向上させることが可能である。
【０００８】
従って、本考案の額は、環境に配慮することができるとともに、長期間の使用によっても装飾効果が落ちることがない。
【考案を実施するための最良の形態】
【０００９】
本考案の額では、長尺状のフレーム材を多角形状に枠組みすることによってフレームが形成されるとともに、このフレーム内には、透明体及び裏板が支持されており、この透明体及び裏板間に、写真、絵画等を挟み込むことを可能としている。
【００１０】
そして、少なくとも前記フレーム又は透明体の表面には、少なくとも、光触媒により形成した光触媒層、又はマイナスイオンを放出可能なトルマリン層のいずれかを備えている。
【実施例１】
【００１１】
本考案の額の実施例について図面を参照して説明すると、図１は、本実施例の額の正面図であり、また図２は図１におけるＡ−Ａ線断面図であり、図において１が本実施例の額である。また、図１において５は、額１に挿装した絵画等である。
【００１２】
そして、本実施例の額１は、図に示すように、全体として略四角形状としている。即ち、本実施例の額１では、４本の長尺状のフレーム材を略四角形状に枠組みすることによりフレーム２が形成されており、このフレーム２内に、裏板４および透明体３が支持され、この裏板４と透明体３間に写真、絵画等５を挟み込むとともに、前記フレーム２に回動自在に装着した係止部材８によって裏板４を係止することにより、額１に写真、絵画等５を装着可能としている。
【００１３】
ここで、図２において、前記フレーム２には、その裏面において、内周側全域に亘って載置部２０１が形成されており、この載置部２０１上に、透明体３および裏板４の周縁部を載置可能としている。
【００１４】
そして、前記載置部２０１上に透明体３の周縁部を載置するとともに、この透明体３に重ね合わせるような配置で、裏板４の周縁部を前記載置部２０１上に載置して、更に、裏板４をとんぼ等の係止部材８でフレーム２に係止して、これによりフレーム２内に裏板４および透明体３を支持可能としている。そして、使用に際しては、透明体３と裏板４間に写真、絵画等５を挟み込むことを可能としている。
【００１５】
次に、図２において７はトルマリン層であり、即ち、本実施例における額１では、前記フレーム２の表面側全域にトルマリン層７を形成し、これにより、このトルマリン層７よりマイナスイオンを放出可能としている。そのために、本実施例の額１では、これを飾っている室内等にマイナスイオンが放出され、これにより、室内に居る者は心身ともにリラックスすることができる。
【００１６】
なお、トルマリン層７の形成方法は特に限定されないが、本実施例においては、市販されているスプレー式のトルマリンを用いて、これにより前記フレーム２の表面にトルマリンを塗布することによりトルマリン層７を形成した。
【００１７】
次に、図１及び図２において６は光触媒層であり、即ち、本実施例における額１では、前記トルマリン層７の表面に更に、光触媒層６を備えている。
【００１８】
ここで、この光触媒層６について説明すると、本実施例の額１においては、二酸化チタンを主原料とした光触媒のコーティング剤を前記フレーム２の表面に塗布することによりフレーム２の表面に光触媒層６を形成しており、これにより、光触媒層６によって室内の有害物質等を除去可能としている。
【００１９】
即ち、周知のように、光触媒は、光を受けることにより、有害物質等を吸着する作用を有しているため、この光触媒により形成された光触媒層６を備えた本実施例の額１では、これを室内に飾っているのみで、室内に散乱する有害物質等をこの光触媒層６に吸着でき、光触媒層６に付着した有害物質等を拭き取ることで有害物質等を除去することができるので、フレーム２自体の劣化等を有効に防止することができる。また、それとともに、花粉症やアトピー性皮膚炎、シックハウス症候群等の原因物質をも吸着することができるため、室内環境を良くすることができる。そのため、本実施例の額１では、長期間の使用によっても装飾効果が落ちることが無いとともに、環境に配慮した額とすることが可能である。
【００２０】
なお、前記光触媒層６の形成方法は特に限定されず、光触媒をフレーム２等の表面にコーティングすることが可能であればいずれの方法を採用してもよく、例えば、スプレー式のコーティング剤、より詳しくは、ゼンワールド製の商品名「エアープロットＧ」を塗布することにより容易に光触媒６を形成可能である。
【００２１】
次に、図３は、本考案の額の他の形態における縦断側面を示した図であり、図３に示す額１１では、透明体３の表面にトルマリン層７及び光触媒層６を形成した構成としている。そして、これにより、透明体３よりマイナスイオンを放出可能であるとともに、透明体３の汚れ、劣化等を防止できるため、透明体３と裏板４とで挟みこんだ絵画、写真等を常に鮮明な状態で見ることが可能となる。
【００２２】
更に、図４に示す額２１では、フレーム２と透明体３の双方の表面にトルマリン層７及び光触媒層６を形成した構成としている。そして、これによれば、フレーム２と透明体３の双方からマイナスイオンを放出可能であるとともに、フレーム２及び透明体３の双方において室内に浮遊する有害物質等を吸着して除去することが可能となり、より環境に配慮した額にすることができる。
【００２３】
このように、本考案の額では、トルマリン層７及び光触媒層６を形成する箇所は、必ずしもフレーム２の表面には限定されず、少なくとも、フレーム２又は透明体３のいずれかに形成すればよい。
【００２４】
また、前述の実施例では、トルマリン層７及び光触媒層６の双方を形成した場合について説明したが、必ずしも双方を形成する必要は無く、トルマリン層７又は光触媒層６のいずれかのみを形成してもよい。
【００２５】
更に、トルマリン層７及び光触媒層６の双方を形成する場合において、必ずしもトルマリン層７の表面に光触媒層６を形成する必要も無く、まず光触媒層６を形成し、その表面にトルマリン層７を形成してもよい。
【産業上の利用可能性】
【００２６】
本考案の額では、少なくともフレームの表面又は透明体の表面に、少なくとも光触媒により形成した光触媒層又はマイナスイオンを放出可能なトルマリン層のいずれかを備えて、これにより、マイナスイオンを放出可能にするとともに、長期間の使用でも装飾効果を失うことが無く、更に室内に浮遊する有害物質等を吸着することで環境に配慮することを可能にしているため、とんぼ等の係止手段によって裏板をフレームに係止する、いわゆる一般的な額の他に、フレーム自体を回動して写真、絵画等を収納可能なフロントオープン式のパネル等にも適用可能である。
【図面の簡単な説明】
【００２７】
【図１】本考案の額の実施例の正面を示す断面図である。
【図２】図１におけるＡ−Ａ線断面図である。
【図３】本考案の額の他の構成例の構造を示す断面図である。
【図４】本考案の額の他の構成例の構造を示す断面図である。
【符号の説明】
【００２８】
１、１１、２１    額
２    フレーム
３    裏板
４    透明体
５    絵画等
６    光触媒層
７    トルマリン層
８    係止部材
【図１】
0003103842.tif 000003
【図２】
0003103842.tif 000004
【図３】
0003103842.tif 000005
【図４】
0003103842.tif 000006